(57)【要約】【課題】周期的な画面更新処理のみを実行する場合の消費電流を削減する。【解決手段】フラグメモリ１３が記憶する省電力フラグがＯＦＦを示す場合、ＣＰＵ１２は、表示部１８に表示させる画像を生成し、当該画像を示す映像信号を表示部１８に出力する。他方、フラグメモリ１３が記憶する省電力フラグがＯＮを示す場合、表示制御回路１７は、複数の表示メモリ１４−１〜１４−Ｎの何れか１つから画像を読み出して当該画像を示す映像信号を表示部１８に出力する。なお、表示制御回路１７は、所定の切替周期毎に前記画像の読み出し元の表示メモリを変更する。【選択図】図１
2011237589.tif 000002
【特許請求の範囲】
【請求項１】
入力した映像信号が示す画像を表示する表示部と、
前記表示部に表示させる画像を記憶する複数の表示メモリと、
自装置の動作状態を省電力状態に切り替えるか否かを示す省電力フラグを記憶するフラグメモリと、
前記フラグメモリが記憶する省電力フラグが、省電力状態に切り替えないことを示す場合に、前記表示部に表示させる画像を生成し、当該画像を示す映像信号を前記表示部に出力する第１の表示制御部と、
前記フラグメモリが記憶する省電力フラグが、省電力状態に切り替えることを示す場合に、前記複数の表示メモリの何れか１つから画像を読み出して当該画像を示す映像信号を前記表示部に出力する第２の表示制御部であって、所定の切替周期毎に前記画像の読み出し元の表示メモリを変更する第２の表示制御部と
を備えることを特徴とする表示装置。
【請求項２】
ユーザによる操作を受け付ける操作部と、
前記操作部が最後に操作を受け付けた時刻からの経過時間を計測する計測部と、
前記計測部が計測した経過時間が所定の時間を超えた場合に、前記フラグメモリが記憶する省電力フラグを、省電力表示に切り替えることを示す状態に書き換えるフラグ書換部と
を備えることを特徴とする請求項１に記載の表示装置。
【請求項３】
前記第１の表示制御部と前記第２の表示制御部が出力する映像信号は同期しており、
前記第２の表示制御部は、前記第１の表示制御部が出力する映像信号の垂直ブランキング期間に、前記フラグメモリが記憶する省電力フラグが、省電力状態に切り替えることを示すか否かを判定する
ことを特徴とする請求項２に記載の表示装置。
【請求項４】
前記第１の表示制御部は、前記フラグメモリが記憶する省電力フラグが、省電力状態に切り替えることを示す場合、前記切替周期毎に前記表示部に表示させる複数の画像を生成し、当該画像を前記表示メモリのそれぞれに記録する
ことを特徴とする請求項２または請求項３に記載の表示装置。
【請求項５】
周期的に切替を行う領域を示す周期画像領域情報を記憶する領域メモリを備え、
前記表示メモリは、周期的に切り替えを行う画像を記憶する複数の周期画像メモリと、周期的に切り替えを行わない画像を記憶する静止画像メモリとで構成され、
前記第２の表示制御部は、前記複数の周期画像メモリの何れか１つ及び前記静止画像メモリから画像を読み出して所定の切替周期毎に前記画像の読み出し元の周期画像メモリを変更し、
前記第２の表示制御部が出力する映像信号は、前記映像信号のうち前記周期画像領域情報が示す領域内の画像が前記周期画像メモリから読み出した画像を示し、前記周期画像領域情報が示す領域外の画像が前記静止画像メモリから読み出した画像を示す
ことを特徴とする請求項１から請求項４の何れか１項に記載の表示装置。
【請求項６】
請求項１から請求項５の何れか１項に記載の表示装置を備える携帯電話端末。
【請求項７】
入力した映像信号に基づいて画像を表示する表示部と、前記表示部に表示させる画像を記憶する複数の表示メモリと、自装置の動作状態を省電力状態に切り替えるか否かを示す省電力フラグを記憶するフラグメモリとを備える表示装置を用いた表示方法であって、
第１の表示制御部は、前記フラグメモリが記憶する省電力フラグが、省電力状態に切り替えないことを示す場合に、前記表示部に表示させる画像を生成し、当該画像を示す映像信号を前記表示部に出力し、
第２の表示制御部は、前記フラグメモリが記憶する省電力フラグが、省電力状態に切り替えることを示す場合に、前記複数の表示メモリの何れか１つから画像を読み出して当該画像を示す映像信号を前記表示部に出力し、所定の切替周期毎に前記画像の読み出し元の表示メモリを変更する
ことを特徴とする表示方法。
【請求項８】
入力した映像信号に基づいて画像を表示する表示部と、前記表示部に表示させる画像を記憶する複数の表示メモリと、自装置の動作状態を省電力状態に切り替えるか否かを示す省電力フラグを記憶するフラグメモリとを備える表示装置を、
ユーザによる操作を受け付ける操作部、
前記操作部が最後に操作を受け付けた時刻からの経過時間を計測する計測部、
前記計測部が計測した経過時間が所定の時間を超えた場合に、前記フラグメモリが記憶する省電力フラグを、省電力表示に切り替えることを示す状態に書き換えるフラグ書換部、
前記フラグメモリが記憶する省電力フラグが、省電力状態に切り替えないことを示す場合に、前記表示部に表示させる画像を生成し、当該画像を示す映像信号を前記表示部に出力する第１の表示制御部、
として機能させるためのプログラム。
【発明の詳細な説明】
【技術分野】
【０００１】
本発明は、表示装置、携帯電話端末、表示方法及びプログラムに関する。
【背景技術】
【０００２】
携帯電話端末は、電池アイコンや文字入力画面のカーソルの視認性を高めるために、電池アイコンやカーソルなどを点滅表示させることがある。
なお、特許文献１には、１画面分の表示データを格納する複数の表示メモリを所定の周期に応じて選択制御することで、コンピュータの負荷を抑えた点滅表示を行う技術が開示されている。
【先行技術文献】
【特許文献】
【０００３】
【特許文献１】特開昭６１−２３１５８９号公報
【発明の概要】
【発明が解決しようとする課題】
【０００４】
しかしながら、携帯電話端末が電池アイコンや文字入力画面のカーソルを点滅表示する場合、ＣＰＵは、周期的に描画更新の処理を行う必要がある。このため、点滅表示を行っている間は、ＣＰＵをアイドル状態に遷移させることができず、ＣＰＵの動作電流の影響で携帯電話端末の消費電流を抑えることができないという問題があった。
また、特許文献１に記載の方法を用いることで点滅表示による消費電力の削減を図ることができるが、点滅表示以外の表示を行うことができなくなるという問題があり、そのまま携帯電話端末に転用することができないという問題があった。
【課題を解決するための手段】
【０００５】
本発明は上記の課題を解決するためになされたものであり、入力した映像信号が示す画像を表示する表示部と、前記表示部に表示させる画像を記憶する複数の表示メモリと、自装置の動作状態を省電力状態に切り替えるか否かを示す省電力フラグを記憶するフラグメモリと、前記フラグメモリが記憶する省電力フラグが、省電力状態に切り替えないことを示す場合に、前記表示部に表示させる画像を生成し、当該画像を示す映像信号を前記表示部に出力する第１の表示制御部と、前記フラグメモリが記憶する省電力フラグが、省電力状態に切り替えることを示す場合に、前記複数の表示メモリの何れか１つから画像を読み出して当該画像を示す映像信号を前記表示部に出力する第２の表示制御部であって、所定の切替周期毎に前記画像の読み出し元の表示メモリを変更する第２の表示制御部とを備えることを特徴とする。
【０００６】
また、本発明は、上記表示装置を備える携帯電話端末である。
【０００７】
また、本発明は、入力した映像信号に基づいて画像を表示する表示部と、前記表示部に表示させる画像を記憶する複数の表示メモリと、自装置の動作状態を省電力状態に切り替えるか否かを示す省電力フラグを記憶するフラグメモリとを備える表示装置を用いた表示方法であって、第１の表示制御部は、前記フラグメモリが記憶する省電力フラグが、省電力状態に切り替えないことを示す場合に、前記表示部に表示させる画像を生成し、当該画像を示す映像信号を前記表示部に出力し、第２の表示制御部は、前記フラグメモリが記憶する省電力フラグが、省電力状態に切り替えることを示す場合に、前記複数の表示メモリの何れか１つから画像を読み出して当該画像を示す映像信号を前記表示部に出力し、所定の切替周期毎に前記画像の読み出し元の表示メモリを変更することを特徴とする。
【０００８】
また、本発明は、入力した映像信号に基づいて画像を表示する表示部と、前記表示部に表示させる画像を記憶する複数の表示メモリと、自装置の動作状態を省電力状態に切り替えるか否かを示す省電力フラグを記憶するフラグメモリとを備える表示装置を、ユーザによる操作を受け付ける操作部、前記操作部が最後に操作を受け付けた時刻からの経過時間を計測する計測部、前記計測部が計測した経過時間が所定の時間を超えた場合に、前記フラグメモリが記憶する省電力フラグを、省電力表示に切り替えることを示す状態に書き換えるフラグ書換部、前記フラグメモリが記憶する省電力フラグが、省電力状態に切り替えないことを示す場合に、前記表示部に表示させる画像を生成し、当該画像を示す映像信号を前記表示部に出力する第１の表示制御部、として機能させるためのプログラムである。
【発明の効果】
【０００９】
本発明によれば、フラグメモリが記憶する省電力フラグが、省電力状態に切り替えることを示す場合、第２の表示制御部は、ある表示メモリから画像を読み出し、当該画像を示す映像信号を表示部に出力する。そして、当該表示制御部は、所定の切替周期毎に画像の読み出し元の表示メモリを変更する。これにより表示装置は、省電力フラグが省電力状態に切り替えることを示す場合、表示させる画像を切替周期毎に生成する必要が無いため、周期的な画面更新がある場合にも、消費電流を削減することができる。
【図面の簡単な説明】
【００１０】
【図１】第１の実施形態による携帯電話端末の構成を示す概略ブロック図である。
【図２】第１の実施形態による携帯電話端末のＣＰＵの動作を示すフローチャートである。
【図３】第１の実施形態による携帯電話端末の表示制御回路の動作を示すフローチャートである。
【図４】第１の実施形態による表示制御回路が出力する映像信号の例を示すタイミングチャートである。
【図５】第２の実施形態による携帯電話端末の構成を示す概略ブロック図である。
【図６】第２の実施形態による表示制御回路が出力する映像信号の例を示すタイミングチャートである。
【発明を実施するための形態】
【００１１】
（第１の実施形態）
以下、図面を参照しながら本発明の第１の実施形態について詳しく説明する。
図１は、第１の実施形態による携帯電話端末の構成を示す概略ブロック図である。
携帯電話端末１０は、操作部１１、ＣＰＵ１２、フラグメモリ１３、表示メモリ１４−１〜１４−Ｎ（以下、表示メモリ１４−１〜１４−Ｎを総称する場合は表示メモリ１４と表記する）、周期メモリ１５、フレームカウンタ１６、表示制御回路１７（第２の表示制御部）、表示部１８、基準信号出力部１９を備える。なお、表示メモリ１４のハイフンの後ろの数値は、表示メモリの識別番号を示し、「１」以上の数値で連番となっている。
また、ＣＰＵ１２は、プログラムを実行することで、画像生成部１２１（第１の表示制御部）、表示制御部１２２（第１の表示制御部）、計測部１２３、フラグ書換部１２４を備える。
【００１２】
操作部１１は、複数の入力ボタンを備え、当該入力ボタンを介してユーザから受け付けた操作を示す操作情報をＣＰＵ１２に出力する。なお、ＣＰＵ１２が停止状態にある場合、操作部１１は、ＣＰＵ１２の動作を再開させてから操作情報をＣＰＵ１２に出力する。
ＣＰＵ１２は、携帯電話端末１０の動作を制御する。
画像生成部１２１は、操作部１１から入力した操作情報に基づいて表示部１８に表示させる画像（静止画像または動画像）を生成する。また、画像生成部１２１は、携帯電話端末１０の省電力状態時に表示部１８に表示させる画像を生成し、表示メモリ１４に記録する。また、表示部１８に表示させる画像の切替周期を示す周期フレーム数を周期メモリ１５に記録する。
表示制御部１２２は、画像生成部１２１が生成した画像を映像信号に変換し、表示部１８に出力する。なお、表示制御部１２２は、基準信号出力部１９が出力する基準信号に同期して映像信号を出力する。
計測部１２３は、ＣＰＵ１２が操作部１１から最後に操作情報を入力した時刻からの経過時間を計測する。
フラグ書換部１２４は、計測部１２３が計測した経過時間が所定の時間（例えば、１分）を超えた場合に、フラグメモリ１３が記憶する省電力フラグをＯＮに書き換え、ＣＰＵ１２を停止状態に切り替える。また、フラグ書換部１２４は、操作部１１によってＣＰＵ１２の動作が再開された場合に、フラグメモリ１３が記憶する省電力フラグをＯＦＦに書き換える。
【００１３】
フラグメモリ１３は、携帯電話端末１０の動作状態を省電力状態に切り替えるか否かを示す省電力フラグを記憶する。なお、省電力フラグはＯＮの場合、携帯電話端末１０の動作状態を省電力状態に切り替えることを示し、ＯＦＦの場合、携帯電話端末１０の動作状態を省電力状態に切り替えないことを示す。
表示メモリ１４は、携帯電話端末１０の省電力状態時に表示部１８に表示させる画像を記憶する。なお、表示メモリ１４−１〜１４−Ｎは、それぞれ異なる画像を記憶する。
周期メモリ１５は、表示部１８に表示させる画像の切替周期を示す周期フレーム数を記憶する。
フレームカウンタ１６は、内部メモリに記憶するカウンタ値を、表示制御回路１７が出力する映像信号の１フレーム毎にカウントダウンする。なお、フレームカウンタ１６は、周期メモリ１５から周期フレーム数を読み出し、カウンタ値の初期値に設定する。
【００１４】
表示制御回路１７は、フラグメモリ１３が記憶する省電力フラグがＯＮを示す場合に、表示メモリ１４が記憶する画像を映像信号に変換し、表示部１８に出力する。なお、表示制御回路１７は、基準信号出力部１９が出力する基準信号に同期して映像信号を出力する。また、表示制御回路１７は、フレームカウンタ１６が記憶するカウンタ値が「０」を示す場合に、画像の読み出し元の表示メモリ１４を変更し、フレームカウンタのカウンタ値を初期値に書き換える。これにより、表示制御回路１７は、所定の切替周期毎に画像の読み出し元の表示メモリ１４を変更する。
表示部１８は、ＬＣＤ（Ｌｉｑｕｉｄ  Ｃｒｙｓｔａｌ  Ｄｉｓｐｌａｙ：液晶ディスプレイ）等のディスプレイ装置であって、表示制御部１２２及び表示制御回路１７から映像信号を入力し、当該映像信号が示す画像を表示する。
基準信号出力部１９は、ＣＰＵ１２の表示制御部１２２及び表示制御回路１７が出力する映像信号を同期させる基準信号を出力する。なお、基準信号は、表示部１８に出力する映像信号における垂直ブランキング期間の終了時を通知する信号である。
【００１５】
そして、携帯電話端末１０がこのような構成を備えることで、フラグメモリ１３が記憶する省電力フラグがＯＦＦを示す場合、ＣＰＵ１２は、表示部１８に表示させる画像を生成し、当該画像を示す映像信号を表示部１８に出力する。他方、フラグメモリ１３が記憶する省電力フラグがＯＮを示す場合、表示制御回路１７は、複数の表示メモリ１４の何れか１つから画像を読み出して当該画像を示す映像信号を表示部１８に出力する。なお、表示制御回路１７は、所定の切替周期毎に前記画像の読み出し元の表示メモリを変更する。そして、表示部１８は、入力した映像信号が示す画像を表示する。
これにより、携帯電話端末１０は、周期的な画面更新処理のみを実行する場合の消費電流を削減することができる。
【００１６】
次に、第１の実施形態による携帯電話端末１０の動作を説明する。
図２は、第１の実施形態による携帯電話端末のＣＰＵの動作を示すフローチャートである。
まず、ユーザが操作部１１の入力ボタンの操作を行うと、操作部１１は、ＣＰＵ１２を起動させる。ＣＰＵ１２は、起動するとプログラムを実行し、画像生成部１２１、表示制御部１２２、計測部１２３、フラグ書換部１２４を備える。ＣＰＵ１２がプログラムを実行すると、フラグ書換部１２４は、フラグメモリ１３が記憶する省電力フラグをＯＦＦに書き換える（ステップＳ１０１）。また、計測部１２３は、操作部１１からの操作情報入力からの経過時間の計測を開始する。
【００１７】
次に、画像生成部１２１は、携帯電話端末１０の動作状態に基づいて表示部１８に表示させる画面の画像を生成する（ステップＳ１０２）。次に、表示制御部１２２は、画像生成部１２１が生成した画像を入力して当該画像を示す映像信号を生成し、基準信号出力部１９から入力する基準信号に同期させて表示部１８に出力する（ステップＳ１０３）。
【００１８】
次に、計測部１２３は、操作部１１から操作情報を入力したか否かを判定する（ステップＳ１０４）。計測部１２３は、操作情報を入力したと判定した場合（ステップＳ１０４：ＹＥＳ）、計測中の経過時間をリセットし、現在時刻からの経過時間の計測を開始し（ステップＳ１０５）、ステップＳ１０２に戻り、再び映像信号の出力処理を継続する。
他方、ステップＳ１０４で計測部１２３が操作情報を入力していないと判定した場合（ステップＳ１０４：ＮＯ）、計測部１２３は、最後に操作部１１から操作情報を入力した時刻からの経過時間が、１分を超えているか否かを判定する（ステップＳ１０６）。
【００１９】
計測部１２３が、経過時間が１分以内であると判定した場合（ステップＳ１０６：ＮＯ）、ステップＳ１０２に戻り、再び映像信号の出力処理を継続する。
他方、計測部１２３が、経過時間が１分を超えていると判定した場合（ステップＳ１０６：ＹＥＳ）、画像生成部１２１は、以降の処理において操作部１１からの操作情報の入力が無い場合に、表示部１８に表示させる画像が、有限個の画像の繰り返し映像または静止画像であるか否かを判定する（ステップＳ１０７）。具体的には、表示部１８に表示させる画像が、所定周期でカーソルを点滅させる映像や、短い周期のアニメーションを繰り返し表示させる画像である場合は、画像生成部１２１は、繰り返し映像であると判定する。他方、表示部１８に表示させる画像が、携帯電話端末１０が内蔵するカメラ（図示せず）からの入力画像を順次表示させる画像や、動画像ファイルを再生することで得られる映像である場合は、画像生成部１２１は、繰り返し映像または静止画像の何れでもないと判定する。
この判定は、例えば、画像生成部１２１が実行中のプロセスＩＤを取得し、取得したプロセスＩＤが繰り返し映像または静止画像の何れでもない映像を表示部１８に表示させるプログラムであるか否かを判定することによって行うと良い。例えば、画像生成部１２１は、実行中のプロセスの中にカメラアプリケーションのプロセスＩＤが存在する場合、繰り返し映像または静止画像の何れでもないと判定する。
【００２０】
画像生成部１２１が、表示部１８に表示させる画像が繰り返し映像または静止画像のいずれでもないと判定した場合（ステップＳ１０７：ＮＯ）、ステップＳ１０２に戻り、再び映像信号の出力処理を継続する。
他方、画像生成部１２１は、表示部１８に表示させる画像が繰り返し映像または静止画像のいずれかであると判定した場合（ステップＳ１０７：ＹＥＳ）、表示部１８に表示させる画像を生成する。なお、画像生成部１２１は、表示部１８に表示させる画像が繰り返し映像であると判定した場合、繰り返し映像を構成するコマに相当する画像をそれぞれ生成し、また繰り返し映像のコマの切替タイミングを示す周期フレーム数を生成する（ステップＳ１０８）。ここで、周期フレーム数は、「同一のコマの画像を表示し続けるフレーム数−１」を示す値である。例えば、５フレームで１コマの画像を表示する場合、周期フレーム数は「４」となる。
なお、画像生成部１２１は、表示部１８に表示させる画像が静止画像であると判定した場合、周期フレーム数を「−１」としておく。
【００２１】
次に、画像生成部１２１は、生成した画像を表示メモリ１４にそれぞれ記録し、生成した周期フレーム数を周期メモリ１５に記録する（ステップＳ１０９）。このとき、画像生成部１２１は、生成した画像のうち、初めに表示する画像を表示メモリ１４−１に記録し、以降、表示メモリ１４−２、１４−３……と表示順に格納する。次に、フラグ書換部１２４は、フラグメモリ１３が記憶する省電力フラグをＯＮに書き換える（ステップＳ１１０）。そして、フラグ書換部１２４は、ＣＰＵ１２を停止状態に切り替え（ステップＳ１１１）、処理を終了する。
なお、以降の処理中に、ユーザが操作部１１を介して入力操作を行った場合、操作部１１は、ＣＰＵ１２の動作を再開させてから操作情報をＣＰＵ１２に出力する。ＣＰＵ１２は、操作部１１による処理によって動作を再開すると、ステップＳ１０１から処理を実行する。これにより、フラグメモリ１３が記憶する省電力フラグの値は操作部１１による動作の再開後に、ＯＦＦに変更されることとなる。
【００２２】
このように、表示部１８は、通常動作時に、ＣＰＵ１２の画像生成部１２１が生成した画像を表示する。また、省電力状態に切り替わったとき、表示メモリ１４には、以降表示部１８に表示させる画像が記録され、周期メモリ１５には、画像の切替周期を示す周期フレーム数が記録される。
【００２３】
図３は、第１の実施形態による携帯電話端末の表示制御回路の動作を示すフローチャートである。
まず、表示制御回路１７は、基準信号出力部１９から入力する基準信号が、垂直ブランキング期間の終了時を示すか否かを判定する（ステップＳ２０１）。表示制御回路１７は、基準信号が垂直ブランキング期間の終了時を示していないと判定した場合（ステップＳ２０１：ＮＯ）、ステップＳ２０１の判定を繰り返す。
他方、表示制御回路１７は、基準信号が垂直ブランキング期間の終了時を示していると判定した場合（ステップＳ２０１：ＹＥＳ）、フラグメモリ１３が記憶する省電力フラグがＯＮを示すか否かを判定する（ステップＳ２０２）。
【００２４】
表示制御回路１７は、省電力フラグがＯＦＦを示すと判定した場合（ステップＳ２０２：ＮＯ）、ステップＳ２０１に戻り、垂直ブランキング期間の検出を行う。
他方、表示制御回路１７は、省電力フラグがＯＮを示すと判定した場合（ステップＳ２０２：ＹＥＳ）、フレームカウンタ１６が記憶するカウンタ値を読み出し、当該カウンタ値が「０」であるか否か判定する（ステップＳ２０３）。なお、フレームカウンタ１６は、表示制御回路１７が出力する映像信号の１フレーム毎にカウンタ値をカウントダウンする。また、カウンタ値の初期値は、周期メモリ１５が記憶する周期フレーム数である。
【００２５】
表示制御回路１７が、フレームカウンタ１６のカウンタ値が「０」でないと判定した場合（ステップＳ２０３：ＮＯ）、フレームカウンタ１６は、カウンタ値を「１」減少させる。
他方、表示制御回路１７は、フレームカウンタ１６のカウンタ値が「０」であると判定した場合（ステップＳ２０３：ＹＥＳ）、画像の読み出し元の表示メモリ１４を変更する（ステップＳ２０５）。この際、表示制御回路１７は、変更先の表示メモリ１４として、現在参照している表示メモリの識別番号に「１」を加算した識別番号を有する表示メモリ１４を選択する。具体的には、表示制御回路１７は、表示メモリ１４−１から画像を読み込んでいた場合、読み出し元の表示メモリ１４を表示メモリ１４−１から表示メモリ１４−２に変更する。なお、初期状態では、読み出し元の表示メモリ１４として、表示メモリ１４−１が設定されている。
次に、フレームカウンタ１６は、カウンタ値を初期値、すなわち周期メモリ１５が記憶する周期フレーム数に書き換える（ステップＳ２０６）。
【００２６】
ステップＳ２０４でフレームカウンタ１６がカウンタ値を「１」減少させた場合、またはステップＳ２０６でフレームカウンタ１６がカウンタ値を初期値に書き換えた場合、表示制御回路１７は、読み出し元として設定された表示メモリ１４から画像を読み出す（ステップＳ２０７）。次に、表示メモリ１４は、読み出した画像を示す映像信号を生成し、基準信号出力部１９から入力する基準信号に同期させて表示部１８に出力し（ステップＳ２０８）、ステップＳ２０１に戻り、垂直ブランキング期間の検出を行う。
【００２７】
このように、本実施形態によれば、表示部１８は、省電力状態時に、表示メモリ１４が記憶する画像を表示する。そして、表示制御回路１７が出力する映像情報は、周期メモリ１５が記憶する周期フレーム数毎に画像が切り替わる。これにより、携帯電話端末１０は、周期的な画面更新処理のみを実行する場合の消費電流を削減することができる。
また、表示制御回路１７は、基準信号出力部１９が出力する基準信号に同期して映像信号をするか否かの判定を行う。すなわち、ＣＰＵ１２の表示制御部１２２が出力する映像信号の垂直ブランキング期間に映像信号の切り替えの判定を行う。これにより、表示部１８が表示する画像に異常を起こさずに、映像信号の入力元の切り替えを行うことができる。
【００２８】
図４は、第１の実施形態による表示制御回路が出力する映像信号の例を示すタイミングチャートである。
ここでは、表示部１８が表示する画像が、２コマを２フレーム周期で繰り返し表示する画像である場合を例に説明する。
図４に示すように、表示制御回路１７が出力する映像信号の最初のフレームは、表示メモリ１４−１が記憶する画像を示す。次に、表示制御回路１７は、垂直ブランキングの検出タイミングで、カウンタ数を判定する。ここではカウンタ数が「１」であるため、次フレームも表示メモリ１４−１が記憶する画像を示す。次の垂直ブランキングの検出タイミングにおいて、表示制御回路１７がカウンタ数を判定すると、カウンタ数が「０」であるため、次フレームの画像を表示メモリ１４−２が記憶する画像に変更する。
このように、表示制御回路１７が出力する画像は、所定周期で切り替わる画像となっている。
【００２９】
（第２の実施形態）
図５は、第２の実施形態による携帯電話端末の構成を示す概略ブロック図である。
第２の実施形態による携帯電話端末１０は、第１の実施形態による携帯電話端末に更に領域メモリ２３を備え、表示メモリ１４が、周期画像メモリ２１−１〜２１−Ｎ（以下、周期画像メモリ２１−１〜２１−Ｎを総称する場合は周期画像メモリ２１と表記する）と静止画像メモリ２２とで構成されている。また、ＣＰＵ１２の画像生成部１２１及び表示制御回路１７の処理が第１の実施形態と異なる。
【００３０】
領域メモリ２３は、表示部１８に表示させる画像のうち、周期的に切替を行う領域を示す周期画像領域情報を記憶する。例えば、表示部１８に表示させる画像が、座標（５０（Ｘ座標）、１００（Ｙ座標））の位置に存在する、サイズ１０（縦サイズ）×１０（横サイズ）ピクセルのカーソルのみ点滅する画像である場合、周期画像領域情報は、当該カーソルが存在する領域である、（５０（左上Ｘ座標）、１００（左上Ｙ座標）、６０（右下Ｘ座標）、１１０（右下Ｙ座標））を示す。
周期画像メモリ２１は、周期的に切り替えを行う画像を記憶する。つまり、表示部１８に表示させる画像のうち、領域メモリ２３が記憶する周期画像領域情報が示す領域内の画像を記憶する。
静止画像メモリ２２は、周期的に切り替えを行わない画像を記憶する。つまり、表示部１８に表示させる画像のうち、領域メモリ２３が記憶する周期画像領域情報が示す領域外の画像を記憶する。
【００３１】
画像生成部１２１は、上述したステップＳ１０８、Ｓ１０９の処理において以下の処理を行う。
表示部１８に表示させる画像が繰り返し映像であると判定した場合、画像生成部１２１は、繰り返し映像を構成するコマに相当する画像をそれぞれ生成する。次に、画像生成部１２１は、生成した画像の何れかにおいて画素値が変化する画素を全て抽出し、当該画素集合におけるＸ座標並びにＹ座標の最大値及び最小値を抽出する。そして、画像生成部１２１は、抽出したＸ座標並びにＹ座標の最大値及び最小値を、周期画像領域情報として領域メモリ２３に記録する。
次に、画像生成部１２１は、生成したそれぞれの画像から、周期画像領域情報として記録した範囲内の画像を抽出し、それぞれ周期画像メモリ２１に記録する。また、画像生成部１２１は、生成した画像の何れか１つから、周期画像領域情報として記録した範囲外の画像を抽出し、静止画像メモリ２２に記録する。
【００３２】
表示制御回路１７は、上述したステップＳ２０７、Ｓ２０８において以下の処理を行う。
表示制御回路１７は、表示制御回路１７は、静止画像メモリ２２と読み出し元として設定された周期画像メモリ２１から画像を読み出す。また、表示制御回路１７は、領域メモリ２３から周期画像領域情報を読み出す。次に、表示制御回路１７は、静止画像メモリ２２から読み出した画像における、周期画像領域情報が示す領域に、周期画像メモリから読み出した画像を合成する。次に、表示制御回路１７は、当該合成した画像を、基準信号出力部１９から入力する基準信号に同期させて表示部１８に出力する。
すなわち、表示制御回路１７が出力する映像信号は、領域メモリ２３が記憶する周期画像領域情報が示す領域内の画像が、周期画像メモリ２１から読み出した画像を示し、周期画像領域情報が示す領域外の画像が静止画像メモリ２２から読み出した画像を示すこととなる。
【００３３】
図６は、第２の実施形態による表示制御回路が出力する映像信号の例を示すタイミングチャートである。
ここでは、表示部１８が表示する画像が、２コマを２フレーム周期で繰り返し表示する画像である場合を例に説明する。
図６に示すように、表示制御回路１７が出力する映像信号の最初のフレームは、表示メモリ１４のうち周期画像メモリ２１−１及び静止画像メモリ２２が記憶する画像を示す。次に、表示制御回路１７は、垂直ブランキングの検出タイミングで、カウンタ数を判定する。ここではカウンタ数が「１」であるため、次フレームも周期画像メモリ２１−１及び静止画像メモリ２２が記憶する画像を示す。次の垂直ブランキングの検出タイミングにおいて、表示制御回路１７がカウンタ数を判定すると、カウンタ数が「０」であるため、次フレームの画像を周期画像メモリ２１−２及び静止画像メモリ２２が記憶する画像に変更する。
これにより、表示部１８が表示する画像として記憶すべき画像データサイズが小さくなるため、表示メモリ１４のメモリ容量を節約することができる。
【００３４】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、第１の実施形態及び第２の実施形態では、表示制御部１２２及び表示制御回路１７が出力する映像信号が、基準信号出力部１９が出力する基準信号と同期することで互いに同期している場合を説明したが、これに限られない。例えば、表示制御回路１７が、表示部１８と同時にＣＰＵ１２に映像信号を出力し、表示制御部１２２が表示制御回路１７から入力した映像信号に同期して映像信号を生成するなど、他の手法を用いて表示制御部１２２が出力する映像信号と表示制御回路１７が出力する映像信号とが同期していても良い。
【００３５】
また、第１の実施形態及び第２の実施形態では、各メモリ（フラグメモリ１３、表示メモリ１４、周期メモリ１５、領域メモリ２３）をそれぞれ別個に備える場合を説明したが、これに限られず、例えば１つのメモリ上の異なる領域に各メモリに対応する領域を備える構成としても良い。
【００３６】
上述したＣＰＵ１２が備える各処理部の動作は、プログラムの形式でコンピュータ読み取り可能な記録媒体に記憶されており、このプログラムをＣＰＵ１２が読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３８】
１０…携帯電話端末  １１…操作部  １２…ＣＰＵ  １３…フラグメモリ  １４、１４−１〜１４−Ｎ…表示メモリ  １５…周期メモリ  １６…フレームカウンタ  １７…表示制御回路  １８…表示部  １９…基準信号出力部  ２１、２１−１〜２１−Ｎ…周期画像メモリ  ２２…静止画像メモリ  ２３…領域メモリ  １２１…画像生成部  １２２…表示制御部  １２３…計測部  １２４…フラグ書換部
【図１】
2011237589.tif 000003
【図２】
2011237589.tif 000004
【図３】
2011237589.tif 000005
【図４】
2011237589.tif 000006
【図５】
2011237589.tif 000007
【図６】
2011237589.tif 000008